(57)【要約】【課題】貫通孔の直径寸法を大きくすることなく、厚みの厚い有孔ボードに係止可能な有孔ボード用フック具を提供する。【解決手段】有孔ボード用フック具は、Ｓ字状の係止部３と、フック部５とを備えている。係止部３は、裏面接触部７と、第１の湾曲部９と、連接部１１と、第２の湾曲部１３と、表面接触部１５とを備えている。第１の湾曲部９の頂部の第１の曲率半径Ｒ１と第２の湾曲部１３の頂部の第２の曲率半径Ｒ２は、それぞれ第１の湾曲部９が貫通孔Ｈを通過することができ、且つ裏面接触部７が裏面ＢＳと接触し且つ表面接触部１５が表面ＦＳと接触した状態になるように定められている。【選択図】  図２
2018187250.tif 000002
【特許請求の範囲】
【請求項１】
金属製の丸棒材が曲げられて形成され、複数の貫通孔が形成された有孔ボードの前記貫通孔内に一部が位置するＳ字状の係止部と、該係止部に連続して形成されて前記有孔ボードの表面側に位置するフックとして利用可能なフック部とを備えた有孔ボード用フック具であって、
前記Ｓ字状の係止部は、
前記有孔ボードの裏面と接触する裏面接触部と、
該裏面接触部と連続して前記裏面から離れる方向に凸となるように湾曲する第１の湾曲部と、
該第１の湾曲部と連続して前記貫通孔内を延びる連接部と、
該連接部と連続して前記有孔ボードの前記表面から離れる方向に凸となるように湾曲する第２の湾曲部と、
前記第２の湾曲部と前記フック部と連続して前記表面と接触する表面接触部とを備えており、
前記第１の湾曲部の頂部の第１の曲率半径と前記第２の湾曲部の頂部の第２の曲率半径は、それぞれ前記第１の湾曲部が前記貫通孔を通過することができ、且つ前記裏面接触部が前記裏面と接触し且つ前記表面接触部が前記表面と接触した状態になるように定められていることを特徴とする有孔ボード用フック具。
【請求項２】
前記第１の湾曲部の頂部の第１の曲率半径と前記第２の湾曲部の頂部の第２の曲率半径は、前記連接部が前記貫通孔の両端の開口周縁部と接触するように定められていることを特徴とする請求項１に記載の有孔ボード用フック具。
【請求項３】
前記裏面接触部は、前記第１の湾曲部、前記連接部及び前記第２の湾曲部が位置する仮想平面に対して交差する方向に延びて前記裏面と接触する直線部と、該直線部と前記第１の湾曲部とを接続する第３の湾曲部とを備え、
前記第３の湾曲部の頂部の第３の曲率半径は、前記裏面接触部が前記貫通孔を通過することができるように定められている請求項１または２に記載の有孔ボード用フック具。
【請求項４】
前記丸棒材の直径寸法をＤ１、前記貫通孔の直径寸法をＤ２、前記貫通孔の長さ寸法をＬとしたときに、前記第１の湾曲部の前記曲率半径Ｒ１は、前記第１の湾曲部の弦長寸法が、前記貫通孔の長さ寸法Ｌより大きく、且つ、前記第１の湾曲部の矢高寸法ｈと前記丸棒材の直径寸法Ｄ１を加えた長さｈ＋Ｄ１が、前記貫通孔の直径寸法Ｄ２未満から直径寸法Ｄ２の５０％の大きさになる曲率半径を有している請求項１乃至３のいずれか１項に記載の有孔ボード用フック具。
【請求項５】
前記第３の湾曲部の頂部の曲率半径Ｒ３は、前記第１の曲率半径Ｒ１と同じである請求項４に記載の有孔ボード用フック具。
【請求項６】
金属製の丸棒材が曲げられて形成され、複数の貫通孔が形成された有孔ボードの２つの前記貫通孔内にそれぞれ一部が位置するＳ字状の２つの係止部と、該２つの係止部に連続して形成されて前記有孔ボードの表面側に位置するフックとして利用可能なフック部とを備えた有孔ボード用フック具であって、
前記Ｓ字状の２つの係止部は、それぞれ、
前記有孔ボードの裏面と接触する裏面接触部と、
該裏面接触部と連続して前記裏面から離れる方向に凸となるように湾曲する第１の湾曲部と、
該第１の湾曲部と連続して前記貫通孔内を延びる連接部と、
該連接部と連続して前記有孔ボードの前記表面から離れる方向に凸となるように湾曲する第２の湾曲部と、
前記第２の湾曲部と前記フック部と連続して前記表面と接触する表面接触部とを備えており、
前記第１の湾曲部の頂部の第１の曲率半径と前記第２の湾曲部の頂部の第２の曲率半径は、それぞれ前記第１の湾曲部が前記貫通孔を通過することができ、且つ前記裏面接触部が前記裏面と接触し且つ前記表面接触部が前記表面と接触した状態になるように定められていることを特徴とする有孔ボード用フック具。
【請求項７】
前記第１の湾曲部の頂部の第１の曲率半径と前記第２の湾曲部の頂部の第２の曲率半径は、前記連接部が前記貫通孔の両端の開口周縁部と接触するように定められていることを特徴とする請求項６に記載の有孔ボード用フック具。
【請求項８】
前記丸棒材の直径寸法をＤ１、前記貫通孔の直径寸法をＤ２、前記貫通孔の長さ寸法をＬとしたときに、前記第１の湾曲部の前記曲率半径Ｒ１は、前記第１の湾曲部の弦長寸法が、前記貫通孔の長さ寸法Ｌより大きく、且つ、前記第１の湾曲部の矢高寸法ｈと前記丸棒材の直径寸法Ｄ１を加えた長さｈ＋Ｄ１が、前記貫通孔の直径寸法Ｄ２未満から直径寸法Ｄ２の５０％の大きさになる曲率半径を有している請求項６または７に記載の有孔ボード用フック具。
【発明の詳細な説明】
【技術分野】
【０００１】
本発明は、板状のボードに複数の貫通孔が形成された、いわゆる有孔ボードに係止させて使用する、有孔ボード用フック具に関するものである。
【背景技術】
【０００２】
従来より、例えば、実用新案登録第３１８４６０７号公報（特許文献１）に示されるような、板状のボードに複数の貫通孔が形成された、いわゆる有孔ボードに係止させて使用する、有孔ボード用フック具が製造・販売されている。
【０００３】
図１４及び図１５は、従来の有孔ボード用フック具１の例を示す図である。図１４は、従来の有孔ボード用フック具１を有孔ボードＰＢに係止させた状態を示すために有孔ボードＰＢを断面にして示した一部断面図であり、図１５は、従来の有孔ボード用フック具１を有孔ボードＰＢの貫通孔Ｈに通す様子を説明するために用いる拡大一部断面図である。
【０００４】
有孔ボード用フック具１は、金属製の丸棒材が曲げられて形成され、係止部３と、係止部３に連続して形成されたフック部５とから構成されている。係止部３は、有孔ボードの裏面と接触する裏面接触部７と、折曲部９と、貫通孔Ｈ内を延びる連接部１１とを備えている。係止部３は、裏面接触部７と連接部１１とが直交するように折曲部９において曲げられている。係止部３を貫通孔Ｈに係止させる際には、まず、裏面接触部７を貫通孔Ｈに挿入して貫通孔Ｈ内を押し進め、図１５に示すように折曲部９を通過させ、図１４に示すように連接部１１が貫通孔Ｈ内に収まるようにする。
【先行技術文献】
【特許文献】
【０００５】
【特許文献１】実用新案登録第３１８４６０７号公報
【発明の概要】
【発明が解決しようとする課題】
【０００６】
従来から、有孔ボード用フック具には、フック部の耐荷重を向上させるという課題が存在する。耐荷重を向上させる手法としては様々な手法が考えられるが、１つの手法として、厚い有孔ボードを用いて、貫通孔Ｈの長さを長くして有孔ボード用フック具１の連接部１１を長くすることが考えられる。例えば、有孔ボードとしては、一般的に厚み寸法４ｍｍ〜６ｍｍのものを用いることが多いが、厚い有孔ボードとしては、厚み寸法９ｍｍ〜１２ｍｍの有孔ボードを用いることができる。
【０００７】
しかしながら、同じ直径寸法を有する丸棒材からなる有孔ボード用フック具１を、厚みの厚い有孔ボードＰＢに係止する場合には、折曲部９を貫通孔Ｈ内を通過させるために、薄い有孔ボードの場合よりも、貫通孔Ｈの直径寸法を大きくする必要がある。例えば、丸棒材の直径寸法３．０ｍｍ、有孔ボードの厚み寸法５．５ｍｍであれば、貫通孔の直径寸法は、５．０ｍｍで有孔ボード用フック具を係止可能であるが、有孔ボードの厚み寸法が９．０ｍｍとなると、折曲部９を貫通孔Ｈに通せないため、貫通孔Ｈの直径寸法を７．５ｍｍまで大きくしなければ有孔ボード用フック具を係止できない。
【０００８】
しかしながら、このようにして貫通孔の直径寸法を大きくしてしまうと、有孔ボードの表面に形成される複数の貫通孔の占有面積が大きくなってしまう。また、貫通孔を通して有孔ボードＰＢを見通せるようになってしまう。そのため、厚みの厚い有孔ボードを利用すると、有孔ボードの見た目が悪くなってしまうという問題があった。
【０００９】
本発明の目的は、貫通孔の直径寸法を大きくすることなく、厚みの厚い有孔ボードに係止可能な有孔ボード用フック具を提供することにある。
【課題を解決するための手段】
【００１０】
本発明の有孔ボード用フック具は、金属製の丸棒材が曲げられて形成され、複数の貫通孔が形成された有孔ボードの貫通孔内に一部が位置するＳ字状の係止部と、該係止部に連続して形成されて有孔ボードの表面側に位置するフックとして利用可能なフック部とを備えたものを改良の対象とする。このタイプの有孔ボード用フック具は、丸棒材の一端に係止部が形成され、他端にフック部として機能するものであり、いわゆる「Ｊ型」タイプのもの等が含まれる。
【００１１】
Ｓ字状の係止部は、有孔ボードの裏面と接触する裏面接触部と、該裏面接触部と連続して裏面から離れる方向に凸となるように湾曲する第１の湾曲部と、該第１の湾曲部と連続して貫通孔内を延びる連接部と、該連接部と連続して有孔ボードの表面から離れる方向に凸となるように湾曲する第２の湾曲部と、第２の湾曲部とフック部と連続して表面と接触する表面接触部とを備えている。本願明細書において、Ｓ字状とは、丸棒材が蛇行するように曲げられている場合、並びに、直角な角部及び一部に直線部を有するクランク状に曲げられている場合を意味している。そのためＳ字状の係止部には、裏面接触部が有孔ボードの裏面に沿う直線部が一部にあるものも含む。
【００１２】
本発明の有孔ボード用フック具は、第１の湾曲部の頂部の第１の曲率半径と第２の湾曲部の頂部の第２の曲率半径が、それぞれ第１の湾曲部が貫通孔を通過することができ、且つ裏面接触部が有孔ボードの裏面と接触し且つ表面接触部が有孔ボードの表面と接触した状態になるように定められている。このように第１の湾曲部の曲率半径と、第２の湾曲部の曲率半径を定めることで、同じ直径寸法の丸棒材を用いる場合でも、厚みの厚い有孔ボードの貫通孔の直径寸法を大きくすることなく、有孔ボード用フック具を係止することができる。
【００１３】
第１の湾曲部の頂部の第１の曲率半径と第２の湾曲部の頂部の第２の曲率半径を、連接部が貫通孔の両端の開口周縁部と接触するように定めると、ガタツキなく、有孔ボード用フック具を係止することができる。
【００１４】
裏面接触部は、第１の湾曲部、連接部及び第２の湾曲部が位置する仮想平面に対して交差する方向に延びて裏面と接触する直線部と、該直線部と第１の湾曲部とを接続する第３の湾曲部とを備え、第３の湾曲部の頂部の第３の曲率半径は、裏面接触部が貫通孔を通過することができるように定められていてもよい。このようにすると、直線部が有孔ボードの裏面に直線的に接触することになり、有孔ボード用フック具が貫通孔を通る軸を中心にして回動してしまうことを防止することができる。
【００１５】
第１の湾曲部の曲率半径Ｒ１は、丸棒材の直径寸法をＤ１、貫通孔の直径寸法をＤ２、貫通孔の長さ寸法をＬとしたときに、第１の湾曲部の弦長寸法が、貫通孔の長さ寸法Ｌより大きく、且つ、第１の湾曲部の矢高寸法ｈと丸棒材の直径寸法Ｄ１を加えた長さｈ＋Ｄ１が、貫通孔の直径寸法Ｄ２未満から直径寸法Ｄ２の５０％の大きさになる曲率半径とすることができる。このように第１の湾曲部の曲率半径を定めれば、スムーズに第１の湾曲部が貫通孔を通過することができる。第３の湾曲部も貫通孔を通過する部分であるため、第３の湾曲部の頂部の曲率半径も、第１の曲率半径と同じにすれば、スムーズに貫通孔を通過させることができる。
【００１６】
なお、長さｈ＋Ｄ１を、Ｄ２の５０％より小さくしても貫通孔を通過することは可能であるが、この場合には、有孔ボード用フック具を構成する丸棒材が細くなってしまい、耐荷重が低下してしまう。そのため、耐荷重の観点から、長さｈ＋Ｄ１の範囲を、Ｄ２未満からＤ２の５０％の大きさと規定している。
【００１７】
本発明の有孔ボード用フック具は、金属製の丸棒材が曲げられて形成され、複数の貫通孔が形成された有孔ボードの２つの貫通孔内にそれぞれ一部が位置するＳ字状の２つの係止部と、該２つの係止部に連続して形成されて有孔ボードの表面側に位置するフックとして利用可能なフック部とを備えたものも改良の対象とすることができる。このタイプの有孔ボード用フック具は、丸棒材の両端に係止部が形成され、中間部分がフック部として機能するものであり、いわゆる「Ｌ型」や「Ｏ型（リング型）」タイプのもの等が含まれる。
【００１８】
Ｓ字状の係止部のそれぞれは、上記の場合と同様に構成されており、有孔ボードの裏面と接触する裏面接触部と、該裏面接触部と連続して裏面から離れる方向に凸となるように湾曲する第１の湾曲部と、該第１の湾曲部と連続して貫通孔内を延びる連接部と、該連接部と連続して有孔ボードの表面から離れる方向に凸となるように湾曲する第２の湾曲部と、第２の湾曲部とフック部と連続して表面と接触する表面接触部とを備えており、第１の湾曲部の頂部の第１の曲率半径と第２の湾曲部の頂部の第２の曲率半径は、それぞれ第１の湾曲部が貫通孔を通過することができ、且つ裏面接触部が裏面と接触し且つ表面接触部が表面と接触した状態になるように定められている。
【００１９】
第１の湾曲部の頂部の第１の曲率半径と第２の湾曲部の頂部の第２の曲率半径は、連接部が貫通孔の両端の開口周縁部と接触するように定められていると、ガタツキなく、有孔ボード用フック具を係止することができる。
【００２０】
第１の湾曲部の曲率半径Ｒ１は、上記と同様に、丸棒材の直径寸法をＤ１、貫通孔の直径寸法をＤ２、貫通孔の長さ寸法をＬとしたときに、記第１の湾曲部の弦長寸法が、貫通孔の長さ寸法Ｌより大きく、且つ、第１の湾曲部の矢高寸法ｈと丸棒材の直径寸法Ｄ１を加えた長さｈ＋Ｄ１が、貫通孔の直径寸法Ｄ２未満から直径寸法Ｄ２の５０％の大きさになる曲率半径とすることができる。
【図面の簡単な説明】
【００２１】
【図１】第１の実施の形態の有孔ボード用フック具を有孔ボードに係止させた状態を示す斜視図である。
【図２】第１の実施の形態の有孔ボード用フック具の詳細を示す図であり、（Ａ）は正面図、（Ｂ）は平面図、（Ｃ）は、有孔ボード用フック具をＣ矢印方向から見た図である。
【図３】有孔ボード用フック具の第１の湾曲部を有孔ボードの貫通孔に通す様子を示す拡大一部断面図である。
【図４】有孔ボード用フック具を有孔ボードに係止する一連の工程を示す一部断面図である。
【図５】有孔ボード用フック具を有孔ボードに係止する一連の工程を示す一部断面図である。
【図６】有孔ボード用フック具を有孔ボードに係止する一連の工程を示す一部断面図である。
【図７】有孔ボード用フック具を有孔ボードに係止する一連の工程を示す一部断面図である。
【図８】有孔ボード用フック具を有孔ボードに係止する一連の工程を示す一部断面図である。
【図９】有孔ボード用フック具を有孔ボードに係止する一連の工程を示す一部断面図である。
【図１０】第２の実施の形態の有孔ボード用フック具を有孔ボードに係止させた状態を示す斜視図である。
【図１１】第２の実施の形態の有孔ボード用フック具の詳細を示す図であり、（Ａ）は正面図、（Ｂ）は底面図である。
【図１２】第３の実施の形態の有孔ボード用フック具を有孔ボードに係止させた状態を示す斜視図である。
【図１３】第３の実施の形態の有孔ボード用フック具の詳細を示す図であり、（Ａ）は正面図、（Ｂ）は底面図である。
【図１４】従来の有孔ボード用フック具を有孔ボードに係止させた状態を示す一部断面図である。
【図１５】従来の有孔ボード用フック具を有孔ボードの貫通孔に通す様子を示す拡大一部断面図である。
【発明を実施するための形態】
【００２２】
以下、図面を参照して、本発明の有孔ボード用フック具の実施の形態を詳細に説明する。
【００２３】
＜第１の実施の形態＞
［全体構成］
図１は、第１の実施の形態の有孔ボード用フック具１を有孔ボードＰＢに係止させた状態を示す斜視図であり、図２（Ａ）〜（Ｃ）は、第１の実施の形態の有孔ボード用フック具１の詳細を示す図である。
【００２４】
有孔ボードＰＢには、規則的に並んだ複数の貫通孔Ｈが形成されている（貫通孔の符号は、一部のみ示してある）。図１で見えている面が表面ＦＳであり、表面ＦＳに厚み方向で対向する位置の面が裏面ＢＳである。有孔ボード用フック具１は、有孔ボードＰＢの表面ＦＳ側から貫通孔に挿入し、有孔ボードＰＢに係止するものである（係止工程については、後述する）。有孔ボード用フック具１は、金属製の丸棒材が曲げられて形成されたものであり、本実施の形態では、丸棒材の直径寸法Ｄ１は、３．０ｍｍのものを使用している。本実施の形態では、有孔ボードＰＢの板厚は、９．０ｍｍであり、貫通孔Ｈの長さ寸法Ｌも同様に９．０ｍｍである。また、貫通孔Ｈの直径寸法Ｄ２は、５．０ｍｍである。
【００２５】
［有孔ボード用フック具の詳細］
本実施の形態の有孔ボード用フック具１は、有孔ボードＰＢに係止させた状態で、表面ＦＳから突出する部分がＪの字体の形状を呈する、いわゆる「Ｊ型」のものである。有孔ボード用フック具１は、有孔ボードＰＢの貫通孔Ｈ内に一部が位置するＳ字状の係止部３と、該係止部３に連続して形成されて有孔ボードＰＢの表面ＦＳ側に位置するフックとして利用可能なフック部５とを備えている。
【００２６】
Ｓ字状の係止部３は、有孔ボードＰＢの裏面ＢＳと接触する裏面接触部７と、該裏面接触部７と連続して裏面ＢＳから離れる方向に凸となるように湾曲する第１の湾曲部９と、該第１の湾曲部９と連続して貫通孔Ｈ内を延びる連接部１１と、該連接部１１と連続して有孔ボードＰＢの表面ＦＳから離れる方向に凸となるように湾曲する第２の湾曲部１３と、第２の湾曲部１３とフック部５と連続して表面ＦＳと接触する表面接触部１５とを備えている。さらに、本実施の形態では、裏面接触部７は、第１の湾曲部９、連接部１１及び第２の湾曲部１３が位置する仮想平面ＩＳに対して交差する方向に延びて裏面ＢＳと接触する直線部１７と、該直線部１７と第１の湾曲部９とを接続する第３の湾曲部１９とを備えている。
【００２７】
第１の湾曲部９の頂部の第１の曲率半径Ｒ１と第２の湾曲部１３の頂部の第２の曲率半径Ｒ２は、それぞれ第１の湾曲部９が貫通孔Ｈを通過することができ、且つ裏面接触部７が裏面と接触し且つ表面接触部が表面と接触した状態になるように、また、第１の湾曲部９の頂部の第１の曲率半径Ｒ１と第２の湾曲部１３の頂部の第２の曲率半径Ｒ２は、連接部１１が貫通孔Ｈの両端の開口周縁部Ｈ１，Ｈ２と接触するように定められている。さらに、第３の湾曲部の頂部の第３の曲率半径Ｒ３は、裏面接触部７が貫通孔Ｈを通過することができるように定められている。本実施の形態では、具体的には、第１の曲率半径Ｒ１は、Ｒ７．５であり、第２の曲率半径Ｒ２は、Ｒ３．５であり、第３の曲率半径Ｒ３は、Ｒ７．５に設定してある。第１の湾曲部９と、第３の湾曲部１９は貫通孔を通過する必要のある部分であり、有孔ボード用フック具１の係止作業をスムーズに行うことを考慮して、同じ曲率半径に設定してある。
【００２８】
図３は、第１の実施の形態の設定条件下における第１の曲率半径Ｒ１の定め方、特に、最小値の定め方を説明するための図であり、有孔ボード用フック具１の第１の湾曲部９を有孔ボードＰＢの貫通孔Ｈに通す様子を示す拡大一部断面図である。第１の曲率半径Ｒ１は、第１の湾曲部９の内面部が形成する円弧を利用して設定している。具体的には、図３に示すように、円弧の弦長寸法が貫通孔Ｈの長さ寸法Ｌよりも長く、且つ、円弧の矢高寸法ｈと丸棒材の直径寸法Ｄ１を加えた長さｈ＋Ｄ１が貫通孔の直径寸法Ｄ２未満から直径寸法Ｄ２の５０％の大きさになるように、第１の曲率半径Ｄ１を設定している。本実施の形態の設定条件（丸棒材の直径寸法Ｄ１：３．０ｍｍ、貫通孔の直径寸法Ｄ２：５．０ｍｍ、貫通孔の長さ寸法Ｌ：９．０ｍｍ）の場合、Ｒ１は、Ｒ６．３６〜∞の範囲内となる。そのため、本実施の形態では、Ｒ１は、この範囲に基づいて、上述の通り、Ｒ７．５としている。第３の曲率半径Ｒ３も同様に、Ｒ６．３６〜∞の範囲内であり、上述の通り、Ｒ７．５としている。
【００２９】
［有孔ボード用フック具の係止工程］
図４乃至図９は、有孔ボード用フック具１を有孔ボードＰＢの貫通孔Ｈに係止する一連の工程を示すものであり、有孔ボードＰＢの一部を断面にした一部断面図である。有孔ボード用フック１の場合には、まず、表面ＦＳ側から、裏面接触部７の直線部１７を貫通孔Ｈに挿入し（図４）、第３の湾曲部１９を通過させる（図５、図６）。次に、図６の状態で、貫通孔を通る軸を中心に有孔ボード用フック具１を９０°回転させる（図７）。そして、貫通孔Ｈ内を第１の湾曲部９を通過させ（図８）、最終的な係止状態とする（図９）。
【００３０】
図９に示した係止状態では、裏面接触部７は、有孔ボードＰＢの裏面ＢＳに接触し、表面接触部１５は表面ＦＳに接触し、連接部１１は、貫通孔の両端の開口周縁部Ｈ１，Ｈ２と接触している。
【００３１】
＜第２の実施の形態＞
図１０は、第２の実施の形態の有孔ボード用フック具を有孔ボードに係止させた状態を示す斜視図であり、図１１（Ａ）及び（Ｂ）は、有孔ボード用フック具の第２の実施の形態の詳細を示す図であり、（Ａ）は正面図、（Ｂ）は底面図である。第１の実施の形態と共通する部分については、図２に付した符号に１００を加えた数の符号を付して、その説明を省略する。また、第２の実施の形態では、有孔ボード用フック具は同じ係止部が２つ存在するため、一方の係止部の符号に「´」を付して、他方の係止部の説明を省略する。
【００３２】
第２の実施の形態の有孔ボード用フック具１０１は、有孔ボードＰＢに係止させた状態で、表面ＦＳから突出する部分がＬの字体の形状を呈する、いわゆる「Ｌ型」のものである。本実施の形態では、丸棒材の両端に係止部１０３，１０３´が形成され、中間部分がフック部１０５として機能する。係止部１０３と、係止部１０３´は、有孔ボードＰＢの貫通孔Ｈのピッチに合わせた間隔をあけて隣り合う位置にくるように構成されている。
【００３３】
第２の実施の形態では、裏面接触部１０７，１０７´は、第１の実施の形態の直線部と第３の湾曲部は有しておらず、有孔ボードＰＢに係止する際には、裏面接触部１０７，１０７´を貫通孔Ｈに挿入し、図８及び図９と同様にして、第１の湾曲部１０９，１０９´を通過させて係止状態とする。
【００３４】
＜第３の実施の形態＞
図１２は、第３の実施の形態の有孔ボード用フック具を有孔ボードに係止させた状態を示す斜視図であり、図１３（Ａ）及び（Ｂ）は、有孔ボード用フック具の第３の実施の形態の詳細を示す図であり、（Ａ）は正面図、（Ｂ）は底面図ある。第２の実施の形態と共通する部分については、図１０，図１１に付した符号に１００を加えた数の符号を付して、その説明を省略する。
【００３５】
第３の実施の形態の有孔ボード用フック具２０１は、有孔ボードＰＢに係止させた状態で、表面ＦＳから突出する部分がＯの字体の形状を呈する、いわゆる「Ｏ型」または「リング型」のものである。係止部２０３，２０３´の構成は、第２の実施の形態の係止部１０３，１０３´と共通である。
【００３６】
以上、本発明の実施の形態について具体的に説明したが、本発明はこれらの実施の形態に限定されるものではなく、本発明の技術的思想の範囲内で変更が可能であるのは勿論である。
【００３７】
例えば、上述の数値は一例であり、適宜変更は可能である。また、フック部の形状も、上述の実施の形態は一例であり、他の形状にしてもよいのはもちろんである。
【産業上の利用可能性】
【００３８】
本発明によれば、貫通孔の直径寸法を大きくすることなく、厚みの厚い有孔ボードに係止可能な有孔ボード用フック具を提供することができる。
【符号の説明】
【００３９】
１  有孔ボード用フック具
３  係止部
５  フック部
７  裏面接触部
９  第１の湾曲部
１１  連接部
１３  第２の湾曲部
１５  表面接触部
１７  直線部
１９  第３の湾曲部
ＰＢ  有孔ボード
ＦＳ  （有孔ボード）表面
ＢＳ  （有孔ボード）裏面
Ｈ  貫通孔
Ｈ１，Ｈ２  開口周縁部
【図１】
2018187250.tif 000003
【図２】
2018187250.tif 000004
【図３】
2018187250.tif 000005
【図４】
2018187250.tif 000006
【図５】
2018187250.tif 000007
【図６】
2018187250.tif 000008
【図７】
2018187250.tif 000009
【図８】
2018187250.tif 000010
【図９】
2018187250.tif 000011
【図１０】
2018187250.tif 000012
【図１１】
2018187250.tif 000013
【図１２】
2018187250.tif 000014
【図１３】
2018187250.tif 000015
【図１４】
2018187250.tif 000016
【図１５】
2018187250.tif 000017